Podtech/llm-jp-corpus-v4-ja_patent huggingface dataset:
(57)【要約】      （修正有）【課題】排気ガスがコンロ内に充満し酸素（空気）不足により不完全燃焼が起きやすく燃焼効率が悪くコンロと鍋がはめ込み式の場合新に排気孔を設けなければならなかった為にコンロの生産効率が悪かった。本考案はこれらの欠点を除くためになされたものである。【解決手段】コンロ２に排気孔６を設ず、鍋１とコンロの異なる形を組合わす事又、側面に凹凸の型状を作成する事により生ずる隙間を排気孔に活用する事でコンロの生産効率を高め、コンロ内の排気ガスが充満しない様に強制排気の役割をはたす吸気孔５を内底に設ることで燃焼効率を高める事ができる。【選択図】図２
0003102546.tif 000002
【実用新案登録請求の範囲】
【請求項１】
コンロと鍋の異なる形をはめ込む事により隙間が生じるその隙間を排気孔に利用する事で排気孔を新たに設ける必要性を省きはめ込む事により安全性を高め自然法則を活用し固型燃料の燃焼効率を高める為に排気ガスを素早く強制排気する為の吸気孔と燃焼用吸気孔の二種の吸気孔を内底に設けている事を特徴とするアルミ箔で型成された使い捨て携帯コンロ鍋セット。
【考案の詳細な説明】
【考案の詳細な説明】
【０００１】本案は朝・昼・夜食又アウトドアー用として、うどんや鍋料理等を携帯形で簡昜に加熱調理を行う場合に使用する、使い捨て携帯コンロ鍋セットに関するものである。
〔考案の属する技術分野〕
【０００２】この発明は空気が冷から暖に流れ、又暖まった空気は軽くなり上昇する自然法則を活用しコンロ内の固型燃料の燃焼効率を高め排気ガスをすばやく強制排気する為の吸気孔と燃焼用の吸気孔をコンロ内底に設けコンロをはめ込む事により安全性を高め排気孔を新たに設ける必要性を省く事によりコンロ鍋セットの生産効率をＵＰするものである。
〔従来の技術〕
【０００３】特開平１１−９９０６６は構成と素材と使用法に関する事であるが吸気孔と排気孔がなくては湯沸器の役割をはたさない又、平３−８０２０１は吸排気孔が外側面にある為固型燃料の排気ガスがコンロ内に充満しやすく火力の低下や異臭が生じやすく同立方形のコンロと鍋を組合せる場合は新に排気孔を設けなければならなかった、又組合せずコンロの上に鍋を置くだけでは安全性に欠けていた。
〔考案が解決しようとする課題〕
【０００４】固型燃料の排気ガスをコンロ内からすばやく自然法則により強制的に排気ガスを排出し燃焼効率を高めコンロの排気孔を作成する工程をはぶく事。
〔考案の実施の形態〕
【０００５】コンロと鍋が異立方体（円筒体と正立方体）の組合せにより排気孔の役割をはたす隙間が生じる、又同様に同立方体であってもコンロと鍋の側面を片方もしくは両面を波型（三角型・四角型・類する型）に加工する事で隙間を作る事が可能であるその隙間の真下の内底に吸気孔をもうける事で吸気孔から入った空気により強制的に隙間より排気ガスを排出する。
【０００６】本考案の実施にあたっては次の事ができる。
（イ）コンロと鍋の形状及び組合せ及びコロンと鍋の側面の凹凸の型状を変える事により排気孔の調整ができる。
（ロ）吸気排出孔の大きさを変える事により排気ガスの排出効果を変える事ができる。
〔考案の効果〕
【０００７】本考案は、排気ガスをすばやく排出し燃焼効率を高め鍋物料理を短時間で加熱調理する事ができコンロ側面全体が壁になっている事で風防ガードの必要性もなく安定した燃焼が望め、屋内・外をとわず異立方体又、コンロと鍋の凹凸の型状の組合せによるすきまが排気孔の役割をはたす為、新な排気孔の作成は不必要でありあらゆる場所で簡易に加熱調理を行う事ができ、使用後簡易に押しつぶす事でコンパクトになり又分別する事でリサイクル可能である。
【図面の簡単な説明】
【図１】本考案の分解斜視図である
【図２】本考案のコンロと鍋をセットした断面図である
【図３】本考案のコンロと鍋をセットした上透明図である
【図４】本考案のコンロの上視図である
【符号の説明】
（１）鍋謙食材収納スペース（２）コンロ          （３）固形燃料
（４）吸気孔              （５）強制排気の役割をはたす吸気孔
（６）排気孔
【図１】
0003102546.tif 000003
【図２】
0003102546.tif 000004
【図３】
0003102546.tif 000005
【図４】
0003102546.tif 000006
(57)【要約】【課題】、構造が簡単で使い易く、シンプルなデザインで安価に製造することができるケースを提供する。【解決手段】収容部１の前面部１ａと底面部１ｂと背面部１ｃを形成すると共に、背面部１ｃの上端部から一体的に延びてカバー部２を畳縁から成る耳付き細幅織物Ｆにより構成し、該織物Ｆの裏面同士を向かい合わせた状態で重ね合わせ、上記前面部１ａと背面部１ｃを除いて、該織物Ｆの両側縁を縫合し、前面部１ａに横方向のベルト通し部１ａ−２を形成すると共に、上記背面部１ｃにも横方向のベルト通し部１ｃ−２を形成し、これらベルト通し部に、上記収容部の左右の側面部１ｄを構成するテープＴを挿通せしめて構成する。【選択図】        図１
0003102547.tif 000002
【実用新案登録請求の範囲】
【請求項１】
収容部の前面部と底面部と背面部を形成すると共に、該背面部の上端部から一体的に延びてカバー部を畳縁から成る耳付き細幅織物により構成し、該織物の裏面同士を向かい合わせた状態で重ね合わせ、上記前面部と背面部を除いて、該織物の両側縁を縫合し、前面部に横方向のベルト通し部を形成すると共に、上記背面部にも横方向のベルト通し部を形成し、これらベルト通し部に、上記収容部の左右の側面部を構成するテープを挿通せしめて構成したことを特徴とするケース。
【請求項２】
上記テープの両端を、上記前面部または背面部の織物に固定することを特徴とする請求項１に記載のケース。
【請求項３】
上記テープの両端を相互に連結したことを特徴とする請求項１に記載のケース。
【請求項４】
上記テープを、畳縁から成る耳付き細幅織物を長手方向の中央線に沿って２つ折りして構成したことを特徴とする請求項１または２に記載のケース。
【考案の詳細な説明】
【技術分野】
【０００１】
本考案は、携帯電話、ゴルフボールやタバコなどを収容するケース、特に使用者のベルトに掛着することが可能なケースに関する。
【背景技術】
【０００２】
この種の従来の携帯電話などのケースとしては、ケースの背面にベルト掛着部を設けて、これに使用者のベルトを通し、装着するものがある。（例えば、特許文献１参照）
【０００３】
しかし、上記従来の携帯電話用ケースは、ケースの背面にベルト掛着部を設けているので、構成が複雑で製作に手間とコストがかかるという欠点があった。
【０００４】
【特許文献１】特開２００３−５２４３６号公報
【考案の開示】
【考案が解決しようとする課題】
【０００５】
解決しようとする課題は、上記従来のケースの問題点を解決し、構造が簡単で使い易く、シンプルなデザインで安価に製造することができるケースを提供することにある。
【課題を解決するための手段】
【０００６】
本考案は、収容部の前面部と底面部と背面部を形成すると共に、該背面部の上端部から一体的に延びてカバー部を畳縁から成る耳付き細幅織物により構成し、該織物の裏面同士を向かい合わせた状態で重ね合わせ、上記前面部と背面部を除いて、該織物の両側縁を縫合し、前面部に横方向のベルト通し部を形成すると共に、上記背面部にも横方向のベルト通し部を形成し、これらベルト通し部に、上記収容部の左右の側面部を構成するテープを挿通せしめて構成したことを特徴とする。また、上記テープの両端を、上記前面部または背面部の織物に固定することを特徴とする。さらに、上記テープの両端を相互に連結したことを特徴とする。又更に、上記テープを、畳縁から成る耳付き細幅織物を長手方向の中央線に沿って２つ折りして構成したことを特徴とするものである。
【考案の効果】
【０００７】
本考案のケースは、構造が簡単で使い易く、シンプルなデザインで安価に製造することができるという利点がある。
【考案を実施するための最良の形態】
【０００８】
構造が簡単で使い易く、シンプルなデザインで安価に製造するという目的を、収容部の前面部と底面部と背面部を形成すると共に、該背面部の上端部から一体的に延びてカバー部を畳縁から成る耳付き細幅織物により構成し、該織物の裏面同士を向かい合わせた状態で重ね合わせ、上記前面部と背面部を除いて、該織物の両側縁を縫合し、前面部に横方向のベルト通し部を形成すると共に、上記背面部にも横方向のベルト通し部を形成し、これらベルト通し部に、上記収容部の左右の側面部を構成するテープを挿通せしめて構成により実現した。
【実施例１】
【０００９】
図１は、本考案ケースの１実施例の図であって、携帯電話の収容部１の前面部１ａと底面部１ｂと背面部１ｃを断面コ字状に形成すると共に、該背面部１ｃの上端部から一体的に延びてカバー部２を、畳縁から成る耳付き細幅織物により構成している。
【００１０】
図１（Ｂ）から明らかなように、上記収容部１の一部とカバー部２を構成する畳縁から成る耳付き細幅織物Ｆは、基本的に、畳縁の裏面同士を向かい合わせた状態で重ね合わせ、上記前面部１ａと背面部１ｃを除いて、点線で示すように両側縁を縫合している。上記前面部１ａにおいて、上記織物は、上端部が折り返されていると共に、下端部は該織物Ｆの幅方向に横断するように縫合部１ａ―１となっていて、横方向のベルト通し部１ａ−２が形成されている。また、上記背面部１ｃにおいて、上記織物は、上端部と下端部が該織物Ｆの幅方向に横断するように縫合部１ｃ―１となっていて、横方向のベルト通し部１ｃ−２が形成されている。なお、該ベルト通し部１ｃ−２の表面には、畳縁の表側が面するようになっているので、ベルトＶをスムーズに通すことができる。
【００１１】
上記ベルト通し部１ａ−２および１ｃ−２には、上記収容部１の左右の側面部１ｄ、１ｄを構成するテープＴが挿通している。該テープＴの両端は、上記前面部１ａの織物Ｆに縫合あるいは適当な止具により固定されている。なお、該テープＴの両端を延ばして、ループ状に相互に連結してもよい。
【００１２】
上記織物Ｆの前面部１ａの表側と上記カバー部２の裏側には、それぞれ面ファスナー３を取り付けて、上記収容部１に収容した携帯電話（本実施例では折畳式携帯電話を折り畳んで横向きに収容するようにしている）をカバー部２により開閉自在に閉じるようにする。
【００１３】
上記織物Ｆの背面部１ｃに形成されたベルト通し部１ｃ−２には、上記テープＴだけでなく、図１（Ｂ）に点線で示すように、使用者のベルトＶを通すようになっている。
【００１４】
上記テープＴは厚地のテープ状織物であればいずれでもよいが、図２に説明するように、畳縁を中央線（点線）に沿って（Ａ）、長手方向に２つ折りして縫合し（Ｂ）、上記テープＴとしてループ状にして使用してもよい。
【産業上の利用可能性】
【００１５】
上記ケースは、携帯電話に限らず、ゴルフボールやタバコなど、携帯して持ち歩く小物品であればいずれの物を収容してもよい。
【図面の簡単な説明】
【００１６】
【図１】本考案のケースの一実施例を示す構造説明図である。
【図２】テープの他の構成例を示す説明図である。
【符号の説明】
【００１７】
１    収容部
１ａ  前面部
１ａ−１  縫合部
１ａ−２  ベルト通し部
１ｂ  底面部
１ｃ  背面部
１ｃ−１  縫合部
１ｃ−２  ベルト通し部
２    カバー部
３    面ファスナー
Ｆ  細幅織物
Ｔ  テープ
Ｖ  ベルト
【図１】
0003102547.tif 000003
【図２】
0003102547.tif 000004
(57)【要約】      （修正有）【課題】従来のステープラーは、鉄製の板に針が隠れていて見えないため、針を補充する時期がわからず空打ちしていた。よって、事前に針の残量を確認することで、針がなくなる前に知る便利さを追求した窓付きステープラーを提供する。【解決手段】ステープラー本体上部分１の針を押出す板金２の辺りから板ばね３の付近までを取除き針４が見えるようにして、透明樹脂又はレンズ５が一体化した、プラスチック(樹脂)６の上カバーを取り付け、見栄えを良くするために同じプラスチック(樹脂)を使った下カバー７をステープラー本体下部分８の下に取付ける。【選択図】図１
0003102548.tif 000002
【実用新案登録請求の範囲】
【請求項１】
ホッチキスに窓を取付け、針の残量を確認する。
【考案の詳細な説明】
【技術分野】
【０００１】
本考案は、針の残量確認が容易なホッチキスに関するものである。
【背景技術】
【０００２】
従来のホッチキスは針の残量を見ることができないため、よく空うちをして針の補充をしていた。
【０００３】
本考案は、ホッチキスの針を上部から残量を確認することによって、針を補充することができる。
【特許文献１】特開２００３−００００００号公報
【非特許文献１】北山千加志著  「窓付きホッチキス」特許出版  ２００３年
【考案の開示】
【考案が解決しようとする課題】
【０００４】
従来のホッチキスは、鉄製の板に針が隠れていて見えないため、針の補充する時期がわからず空打ちしていたという問題点を有していた。
【課題を解決するための手段】
【０００５】
上記課題を解決するために、ホッチキス針の確認できる位置を一部取除いてやり、透明の樹脂又はレンズを取り付けることによって、上部から針の残量を確認することが可能となった。
【考案の効果】
【０００６】
このようにすれば、図２の５からホッチキスの針の残量が見え、針がなくなる前に補充することができる。
【考案を実施するための最良の形態】
【０００７】
ホッチキスは鉄製の板に覆われているので、針の確認できる位置を一部取除くことで針を見ることができる。
【産業上の利用可能性】
【０００８】
針の確認できる位置を一部取除いて、透明の樹脂又はレンズを取り付けることによって、上部から針がはっきりと見えるため、補充しやすい。
【図面の簡単な説明】
【０００９】
【図１】ホッチキスの断面図
【図２】ホッチキスの平面図
【符号の説明】
【００１０】
１    ホッチキス本体上部分
２    針を押出す板金
３    板ばね
４    取除き部分
５    窓「透明樹脂又はレンズ」
６    上カバー「透明樹脂」
７    下カバー「透明樹脂」
８    ホッチキス本体下部分
【図１】
0003102548.tif 000003
【図２】
0003102548.tif 000004
【手続補正書】
【提出日】平成16年2月9日(2004.2.9)
【手続補正１】
【補正対象書類名】実用新案登録請求の範囲
【補正対象項目名】全文
【補正方法】変更
【補正の内容】
【実用新案登録請求の範囲】
【請求項１】
針の残量を確認できる窓を取り付けたステープラー。
【手続補正２】
【補正対象書類名】明細書
【補正対象項目名】全文
【補正方法】変更
【補正の内容】
【考案の詳細な説明】
【技術分野】
【０００１】
本考案は、針の残量確認が容易なステープラーに関するものである。
【背景技術】
【０００２】
従来の物は針の残量を見ることができないため、よく空うちをして針の補充をしていた。
【０００３】
本考案は、ステープラーの針を上部から残量を確認することによって、針を補充することができる。
【特許文献１】特開２００３−００００００号公報
【非特許文献１】著  特許出版  ２００３年
【考案の開示】
【考案が解決しようとする課題】
【０００４】
従来の物は、鉄製の板に針が隠れていて見えないため、針の補充する時期がわからず空打ちしていたという問題点を有していた。
【課題を解決するための手段】
【０００５】
上記課題を解決するために、針の確認できる位置を一部取除いてやり、透明の樹脂又はレンズを取り付けることによって、上部から針の残量を確認することが可能となった。
【考案の効果】
【０００６】
このようにすれば、図２の５からステープラーの針の残量が見え、針がなくなる前に補充することができる。
【考案を実施するための最良の形態】
【０００７】
従来の物は鉄製の板に覆われているので、針の確認できる位置を一部取除くことで針を見ることができる。
【産業上の利用可能性】
【０００８】
市場には類似品は無く、よく使用する方に訊いたところ、上部から針がはっきりと見えるものが欲しいとのことであった。
【図面の簡単な説明】
【０００９】
【図１】ステープラーの断面図
【図２】ステープラーの平面図
【符号の説明】
【００１０】
１    ステープラー本体上部分
２    針を押出す板金
３    板ばね
４    取除き部分
５    窓「透明樹脂又はレンズ」
６    上カバー「透明樹脂」
７    下カバー「透明樹脂」
８    ステープラー本体下部分
(57)【要約】      （修正有）【課題】場所を取らず電気も使わない温冷可能な足浴用具を考案する。【解決手段】ポリプロピレン製のかご（27×30×30）の一つの面を切り抜いたものを、逆さまにして座いすとした。縦×横×高さが25×25×20ｃｍのポリエチレン製直方体で、上部開放の容器を足浴容器とした。足浴容器は座いすの中に収納できる。座いすに座り、足浴容器を前方へ取り出し、湯水蛇口から温水（43℃）を入れ、その中に両足をつけたまま5分経過後、冷水に置き換え、両足をつける。【選択図】図１
0003102549.tif 000002
【実用新案登録請求の範囲】
【請求項１】
最小の大きさが，縦×横×高さ２２×１９×ｌ２ｃｍの直方体、直方体がおさまる直方体の類似形、直方体がおさまる楕円柱形又は直方体がおさまる円柱で、両足平を入れることができる足浴容器と、中空の２３×２０×１５ｃｍ以上の直方体形、又はその類似形の座いすの組合せからなる温冷足浴用具。
【請求項２】
足浴容器が座いすの内部に収納できる請求項１記載の温冷足浴用具。
【請求項３】
足浴容器が、片足ずつに分かれている請求項１又は２記載の温冷足浴用具。
【考案の詳細な説明】
【技術分野】
【０００１】  本考案は、足の温冷用具に関する。
【背景技術】
【０００２】  足、主として足の平からすねの中程までを温める用具として、ボックスの内壁に遠赤外線ヒーターを取り付け、ボックス内にすねまでを入れると遠赤外線で温めることができるという製品がある。ただし、これは冷却はできない。温冷が可能で、電気を使わず、簡便な温冷用具が求められている。
【考案の開示】
【考案が解決しようとする課題】
【０００３】  電気を使わず温冷が可能で、取扱が簡単な温冷用具を考案する。
【課題を解決するための手段】
【０００４】  本考案では、電気を使わずに温冷を可能とするために、温水と冷水を用いることとした。水を用いるために、通常はこの用具は風呂場で使用する。しかし、日本の場合、平均的な一家庭の居住面積は小さく、風呂場は狭く設計されている。そこで、風呂場の洗面器と洗面いすを利用することとすれば、足の温冷用具によって別に場所を取られることはない。本考案は、洗面器を用いずに、足の温冷却機能をもたせるのが最良であるという考えに基づいている。【０００５】  図１（ａ）に示すように、洗面用の座いすと、その内部に収納できる温冷足浴容器から構成される。座いすは、底面の大きさは、縦×横×高さとして２３×２０×１５ｃｍが最小で２５×３０×２５ｃｍが典型例であり、温冷足浴容器の大きさは２５×２５×２５ｃｍが典型例である。足浴容器が座いすの中に収納できようにすれば、場所をとらないので好ましい。座いすの前後又は前方の一面（好ましくは、座った時に前方となる面）が開放となっていれば、簡単に温冷足浴容器を取り出すことができる。具体的な使い方としては、座いすに腰をおろし、座いすの前方から足浴容器を取り出し、足を入れ、冷水又は温水を注ぎ使用する。座いすの内部には、足浴容器をのせることができる棚があるのが好ましい。【０００６】  開放とせずに、座いすを上に持ち上げて足浴容器を取り出す方式もあるが、前者の方が好ましい。足浴容器は両足をその中に入れる大きさでなければならず、従って、縦の長さは２２ｃｍ以上（例えば靴の大きさ２５ｃｍの人は足の長さは２３ｃｍである）であることが望まれる。くつ長２７ｃｍの大きな足であっても、足の指は曲げられるので、２３ｃｍ長の足浴容器に足の平を入れることができる。横（幅）は左右の足の平を閉じて収納できるには、１９ｃｍ以上でなければならないが、自然に座った時に左右の足は多少開くので３０ｃｍ位が好ましい。高さについては、足のくるぶしの少し上が１５ｃｍ、すねの中央あたりが３０ｃｍであるので、足浴容器は、縦×横×高さとして２５×２５×２５ｃｍが最も平均的である。余裕を持たせたものは、２７×３０×３０ｃｍとなる。この余裕をもたせたものの例では、座いすの大きさは、それを収納するために少なくとも足浴容器よりも大きくなければならず、２８×３２×３２ｃｍなどとする必要がある。【０００７】  上の例は、一つの足浴容器に両足を入れるものであるが、足浴容器を２つに分けることもできる。また、２つは合体でき、逆に切り離し可能にできるのが好ましい。その場合、一方は温水、他方は冷水を入れ、温度差をもたせれば別の健康効果が期待できる。温水は、風呂場の温水蛇口から足浴容器に入れ、冷水には水道水そのものを入れる。湯や水に食塩を加えた塩水とすることによりさらに効果をもたせることができる。
【実施例１】
【０００８】  市販のポリプロピレン製のかご（２７×３０×３０）の一つの面を切り抜いたものを、逆さまにして座いすとした。縦×横×高さが２５×２５×２０ｃｍのポリエチレン製直方体で、上部開放の容器を足浴容器とした。足浴容器は座いすの中に収納できる。座いすに座り、足浴容器を前方へ取り出し、湯水蛇口から温水（４３℃）を入れ、その中に両足をつけたまま５分経過後、冷水に置き換え、両足をつける。
【図面の簡単な説明】
【０００９】
【図１】（ａ）洗面用座いすを斜め上方から見た図  （ｂ）足浴容器の平面図  （ｃ）足浴容器の正面透視図
【符号の説明】
【００１０】１  足浴容器をのせるたな
１′前方又は後方は開放
２  足の平
３  足のくるぶし
４  冷水又は温水
【図１】
0003102549.tif 000003
(57)【要約】【課題】  本考案は、直結型真珠イヤリングにおいて、耳たぶ上に線状に露出するイヤリング金具部分を、真珠背面に隠し、美観を向上させると共に、その構造を利用して脱落の危険を軽減させるものである。【解決手段】  本考案は、イヤリング金具本体に真珠を固定する円周状の台座を設けることにより、従来品では耳たぶ上に露出していた金具部分を真珠背面に隠し、その構造上、耳たぶに対する摩擦抵抗面が、線状から円周状へと増大することにより、脱落の危険を軽減するものである。【選択図】  図１
0003102541.tif 000002
【実用新案登録請求の範囲】
【請求項１】
耳たぶ上に真珠ひと粒を装着する、いわゆる直結型真珠イヤリングにおいて、耳たぶ上に露出する金属部分を真珠の背面に隠し、美観を向上させると共に、その構造を利用して脱落の危険性を軽減するイヤリング金具。
【考案の詳細な説明】
【技術分野】
【０００１】  本考案は直結型真珠イヤリングにおいて、耳たぶ上に露出する金属部分を真珠の背面に隠し、美観を向上させると共に脱落の危険を軽減させるイヤリング金具に関するものである。
【背景技術】
【０００２】  直結型真珠イヤリングの現状は、耳たぶ上に線状のイヤリング金具が大きく露出し美観が損なわれるものであり、消費者からも直結型真珠イヤリングを着用した際、金具の露出の少ない一見ピアス状に見える物が欲しいという要請が多々あった。また、脱落し紛失させてしまう事故も多々起こっている。
【考案の開示】
【考案の解決しようとする課題】
【０００３】  耳たぶ上のイヤリング金具の露出部分を減少させ、さらに脱落の危険性を軽減させるものである。
【課題を解決するための手段】
【０００４】  本考案は、従来の直結型真珠イヤリング金具において、耳たぶ上に線状に露出する金具部分を円周状の真珠を固定するための台座に置き換え、耳たぶへの摩擦抵抗面を増大させものである。
【考案の効果】
【０００５】  上記で示した構造にすることにより、従来の直結型真珠イヤリング金具において耳たぶ上に露出した金具部分が真珠の台座にかわり、従来金具が線状で耳たぶに接していたものに対し、円周状の真珠台座部に変わるため耳たぶへの摩擦抵抗面が増大し、脱落の危険性を軽減できる。
【考案を実施するための最良の形態】
【０００６】  イヤリング金具本体に真珠を固定するための円周状の台座を設け、その真珠台座最上部を締めつけネジ金具との接点とし、その接点部に半球状の耳あたりを取り付ける。
【実施例】
【０００７】  以下、添付図面に従って、一実施例を説明する。１は金属および貴金属素材にて一体化形成されたイヤリング金具本体で、２は真珠を固定するための台座であり、３は真珠を接着するために台座２の中心に立てられた芯棒である。台座２の最上部は、締めつけネジ金具４との接点部となり、その部位には半球状の耳あたり５を取り付け、耳たぶへの安定感を持たせる。
【産業上の利用可能性】
【０００８】  形状、仕組みとも簡素なので、量産が可能であり、日常用、冠婚葬祭用として用いられているアコヤ真珠、南洋真珠の直結型イヤリングに多数利用されることが見込まれる。
【図面の簡単な説明】
【０００９】
【図１】本考案の金具の目立たない直結型真珠イヤリング金具の実施例を示す側面図である。
【図２】本イヤリング金具の正面図である。
【符号の説明】
【００１０】  １  イヤリング金具本体
２  真珠固定台座
３  真珠接着のための芯棒
４  締めつけネジ金具
５  耳あたり
６  真珠
【図１】
0003102541.tif 000003
【図２】
0003102541.tif 000004
【手続補正書】
【提出日】平成16年2月4日(2004.2.4)
【手続補正１】
【補正対象書類名】実用新案登録請求の範囲
【補正対象項目名】全文
【補正方法】変更
【補正の内容】
【実用新案登録請求の範囲】
【請求項１】
耳たぶ上に真珠ひと粒を装着する、いわゆる直結型真珠イヤリングにおいて、イヤリング金具本体に円周状の真珠固定台座を設け、耳たぶ上の金属露出部分を減少させ、耳たぶへの摩擦抵抗面を増大させることにより、美観の向上と脱落の危険を軽減することを目的としたイヤリング金具。
(57)【要約】      （修正有）【課題】弾力に富み、粘質性を有する硬質プラスチック板３を型抜き、スジ押しするだけで製造出来、使用時に折り曲げ、カードを差し込み、折り曲げる角度を調節出来る低価格なカード立てを提供する。【解決手段】弾力に富み粘質性を有する硬質プラスチック板３を、切り込み部１と折り曲げる為のスジ押し部２を外形と同時に型抜きスジ押しし製造。使用時にスジ押し部２より折り曲げ、切り込み部１にカードを差し込むカード立て。【選択図】図３
0003102519.tif 000002
【実用新案登録請求の範囲】
【請求項１】
カードを差し込むための切り込み部（１）と折り曲げるためのスジ押し部（２）を有する板状のカード立て。
【請求項２】
カードを差し込むための切り込み部（１）を有し、スジ押し部（２）の位置で折り曲げられた板材のカード立て。
【考案の詳細な説明】
【技術分野】
【０００１】本考案は、プライスカード、ポストカード、その他カード類を差し込んで使用するカード立て。
【背景技術】
【０００２】従来のカード立ては、金属板やプラスチック板を曲げ加工したり、樹脂成形によるものが多く、製造コストが比較的高かった。
【考案の開示】
本考案のカード立ては、硬質プラスチック板３を、カードを差し込む為の切り込み部１と折り曲げるためのスジ押し部２を図１の様な形状に型抜きと同時にスジ押しし、使用時にはスジ押し部２を折り曲げ、切り込み部１にカードを差し込むものである。
【考案が解決しようとする課題】
従来のカード立ては、金属板あるいはプラスチック板を曲げ加工したり樹脂成形によるものが多く比較的製造コストが高かった。本考案は、製造コストを低くすることにより、消費者の経費削減に寄与し、さらに実用性を追及したものである。
【課題を解決するための手段】
硬質プラスチック板３を図１のカードを差し込むための切り込み部１と折り曲げるためのスジ押し部２を外形の型抜きと同時に行う。これに使用する硬質プラスチック板は弾力があり、スジ押しが出来、折り曲げにも破損しない粘質性を有するポリエステルのような材質が望ましい。又、透明度の高い材質を使用すればカードに書かれた文字などがかくれることを防ぐことが出来る。
本考案は、材料費と型抜きスジ押し加工費のみのため、従来品と比較して製造コストが著しく減少され、使用者の経費削減に大きく貢献する。
【考案の効果】
本考案は、製造コストの低さにもかかわらず、多くの優れた点を有する。
使用時に折り曲げる為、平らな状態で輸送出来るので、かさばらず輸送コストがあまりかからない。又、ポレエステルのような硬質で弾力があり、粘質性を有する材料を使用することにより、店舗において商品が置かれる棚の高さにより折り曲げる角度を調節することが出来る。
【考案を実施するための最良の形態】図１のように、カードを差し込むための切り込み部１を半円形にすることによりカードの差し込みが容易に出来る。
【実施例】図４は、カードを切り込み部１に差し込み使用している例である。
【図面の簡単な説明】
【図１】硬質プラスチック板を型抜き、スジ押しした平面図である。
【図２】硬質プラスチック板を型抜き、スジ押しした側面図である。
【図３】硬質プラスチック板をスジ押し部２の部分から折り曲げた斜視図である。
【図４】プライスカードを切り込み部１に差し込み実際に使用している状態の斜視図である。
【図５】外形を角にした斜視図である。
【図６】切り込みを台形にした斜視図である。
【図７】切り込みの内側を変形にした斜視図である。
【図８】高い棚での使用に合わせ折り曲げの角度を広くした側面図である。
【図９】低い棚での使用に合わせ折り曲げの角度を狭くした側面図である。
【符号の説明】
１  切り込み部
２  スジ押し部
３  硬質プラスチック板
４  カード
【図１】
0003102519.tif 000003
【図２】
0003102519.tif 000004
【図３】
0003102519.tif 000005
【図４】
0003102519.tif 000006
【図５】
0003102519.tif 000007
【図６】
0003102519.tif 000008
【図７】
0003102519.tif 000009
【図８】
0003102519.tif 000010
【図９】
0003102519.tif 000011
(57)【要約】【課題】  サーフボードのフィン、特にロングボードのフィンは、座金とネジを用いて、着脱していた。これは、非常に不便であり、使用時不使用時に一々取り外し、取り付けを行うので、極めて労力が要った。本発明はこれを手で簡単に行なえるものとする。【解決手段】  ボックスをサーフボードに掘った溝に接着剤で固定し、ボックスの内側に、段差のある２つの溝を形成する。前部の長溝は、やや高い所にあり、フィンの一つのピンを挿入できる。後部のピンは、ボックスの後部のやや下に設けた数個のＬ字状の溝に挿入できる。フィンは、前部はやや高く、一つ段差を設け、後部はやや下にあるか前部と後部で各々１つ、計２つのピンを設ける。これにより、２つのピンを両溝に嵌めることにより、フィンを固定することができ、フィンの面倒な着脱を克服できる。【選択図】  図２
0003102517.tif 000002
【実用新案登録請求の範囲】
【請求項１】
フィンの基部前方やや上にピンを設け、後方やや下にもピンを設け、前者のピンがサーフボードに嵌め込まれたボックスの内側の長溝に、後者のピンがボックスの内側のＬ字状の溝に嵌ることが可能なフィンボックスに嵌るサーフボードのフィン。
【考案の詳細な説明】
【技術分野】
【０００１】
本考案は、フィンボックスに嵌るサーフボードのフィンに関する。
【背景技術】
【０００２】
サーフボードのフィンは、使用時と不使用時に着脱する。不使用時はずさないと、運搬等に不便を来たすからである。従来この着脱はネジを用いて行なっていたが、大変不便であった。ロングボード用のものは、ボルトと座金を用いて着脱していた。
【特許文献１】特記すべき先行文献なし。
【非特許文献１】サーフィンの雑誌等で取り上げられているものは全てネジによるものである。
【考案の開示】
【考案が解決しようとする課題】
【０００３】
本考案では、ネジや工具を一切使わない、手で簡単に着脱できるフィンを提供する。
【課題を解決するための手段】
【０００４】
本考案はフィンの基部前方やや上にピンを設け、後方やや下にもピンを設け、前者のピンがサーフボードに埋め込まれたボックスの内側の長溝に、後者のピンがボックスの内側のＬ字状の溝に嵌ることが可能なフィンボックスに嵌るサーフボードのフィンに関する。
【考案の効果】
【０００５】
本考案のサーフボードのフィンは、手で着脱できるので、今までのボルト、座金を用いたものより簡単に着脱が行える。フィンの位置を波の状況により、前後にワンタッチで移動出来る。この動作は、サーフィン中でも海の中で簡単に出来、サーフィンの醍醐味を更に引き出し、楽しむ事が出来る。
【考案を実施するための最良の形態】
【０００６】
フィン１の基部の前方のやや上の方に小さな突起であるピン２を設ける。又、後方のやや下の方にもピン３を設ける。
【０００７】
ピン２は、サーフボードに埋め込まれたボックス４の内側の横方向に設けられた長溝５に挿入される。ピン３は、ボックス内側に設けられた数個のＬ字状の溝６に上から入り後へ動き、固定される。長溝５は、溝６よりやや上にある。
【０００８】
フィン１は、ボックス内側中央の縦溝７より入り、前後に動かすことにより、軽くたたくだけでそのピンは、長溝５とＬ字状の溝６に嵌り、固定される。はずす時はその逆の動作でスムーズに行える。Ｌ字状の溝６は数個あり、どの溝でもピン３を固定できる。
このようにして、フィンをサーフボードに着脱する。
【産業上の利用可能性】
【０００９】
サーフボードには３つのフィンがつくが、これをボルト、座金で行うと大変手間がかかる。本考案のフィンにより、簡単に手で行え、利用可能性は大である。
【図面の簡単な説明】
【００１０】
【図１】フィンの側面図である。
【図２】ボックスの側面図である。
【図３】ボックスの内側の斜視図である。
【符号の説明】
【００１１】
１  フィン
２  ピン
３  ピン
４  ボックス
５  長溝
６  Ｌ字状の溝
【図１】
0003102517.tif 000003
【図２】
0003102517.tif 000004
【図３】
0003102517.tif 000005
(57)【要約】      （修正有）【課題】作業が容易で、全部縁無しのものよりコストのかからない縁無し畳を提供する。【解決手段】中央に数枚の正方形の縁無しの畳を敷き、外側にそれを囲んで、長方形の縁付きの畳を数枚敷く。例えば４帖半の場合、中央に４枚の縁無しの畳を敷き、外側に６枚の縁付きの畳を敷く。中央の縁無しの畳の多少の寸法狂いを、外側の縁付きの畳がカバーし全体が嵌り、上面の膨らみが起こらない。また、全部縁無しより安価にできる。【選択図】図１
0003102588.tif 000002
【実用新案登録請求の範囲】
【請求項１】
中央に数枚の縁布のついていない、半帖で正方形の縁無しの畳を敷き、その外側を数枚の長方形の縁布の付いた縁付きの畳で囲んだ畳。
【考案の詳細な説明】
【技術分野】
【０００１】
本考案は、畳に関する。
【背景技術】
【０００２】
畳には縁布のついた縁付の畳と、縁布のない縁無しの畳がある。縁無しは需要者に好まれるが、コストが高く、且つ、職人に高い技術が要求され、出来る職人は少ない。縁無しは、側部も畳表で包むので、上面がボコボコしてしまうことが多く、クレームの原因となり、高い技術を要し、若い職人には、甚だ難しいものである。
縁付きは、ピタッと嵌るが縁無しは、２ｍｍくらい小さく作らなくてはならないし、ピタッとはいかず、上面に膨らみが出来てしまうことが多い。即ち、縁付きは、全体がうまく嵌り、比較的易しくどの職人にも出来るが、縁無しは難しく、限られた職人きり出来ない。
【特許文献１】特記すべき先行文献なし。
【非特許文献１】畳は何百年も同じやり方で作られ、特に茶室などでは、必須の物品であるが、改良されたものは全くなく文献も少ない。
【考案の開示】
【考案が解決しようとする課題】
【０００３】
本考案は、どの職人でも作業出来、コストも全部縁無しのものよりは大分安くなる縁無し畳を用いた畳を提供する。
【課題を解決するための手段】
【０００４】
本考案は、中央に数枚の縁布のついていない半帖で正方形の縁無しの畳を敷き、その外側を数枚の長方形の縁布の付いた縁付きの畳で囲んだ畳に関する。
【考案の効果】
【０００５】
高い技術を要する全部縁無しと違い、両方共用すると縁無しの厳密さを周りの外側の縁無しがカバーする。中央の縁無しを、外側の縁付きの畳が助け、寸法上、余り狂わないでピタッと両方共嵌り、上面の膨らみなど起こらない。
【０００６】
又、コストが全部縁無しと全部縁付きの中間で比較的安く、縁無しの畳を楽しめる。又、縁無しの畳を用いると、部屋全体が縁布が無いせいか広く感じる。中央の縁無しの畳は交換することにより、春夏秋冬、素材等変えることにより色々変化を楽しめる。
【０００７】
これは、中央の縁無し畳の少しの寸法の狂いも、外側の縁付きの畳がカバーするので、若い職人にもでき、高い技術がなくとも巧く実施できる。縁無しのものは正方形であるので、予め作って置きストックしておくことが出来る。
【０００８】
本考案により、余り技術の高くない若い職人が、縁無しの畳を巧く扱えるので、若い畳職人には、営業上も高く評価されるものと思う。
【考案を実施するための最良の形態】
【０００９】
縁無しの畳は、普通の畳の半分で、正方形をしており、半帖の大きさである。これを畳の中央部に数枚敷く。その周りの外側に、長方形の縁付きの畳を数枚敷く。即ち、中央が縁無しの数枚の畳であり、外側を縁付きの数枚の畳で囲む。
【００１０】
４帖半だと、図１に示すように中央の半帖の縁無し畳１が４枚、外側の縁付き畳２が６枚となる。尚３は、縁布をさす。図中縁無しの畳についている２本の線４は畳の目の方向を示したもので、実際はもっと細かいが、大略に示したものである。即ち、目の方向は各畳、互い違いに市松に敷くことにより、一層部屋が美しくなる。
【００１１】
６帖間は、図２に示すように中央の縁無し畳１が６枚、外側の縁付きの畳が６枚となる。これも大略で示した目を示す線４から見られるように、互い違いに市松に敷くと美しい。
【００１２】
８帖間は、図３で示すように中央の縁無し畳１が９枚、外側の縁付きの畳２が８枚となる。これも、縁無し畳は互い違いに線４で示すように畳の目の方向を市松にするとより一層美しい。
【産業上の利用可能性】
【００１３】
畳はどこの家にもあるもので、特に縁無しの畳は需要者が好むが高価で諦めることが多い。この縁無し畳を比較的安く提供できるので、全国的に広く利用される可能性が高い。
【００１４】
又、全国の畳職人には、縁無しと縁付きを一緒に用いるので誰でも扱えることにより、大きな福音となり、全国の畳職人に広く用いられる可能性が高い。
【図面の簡単な説明】
【００１５】
【図１】は、４帖半の畳の平面図である。
【図２】は、６帖間の畳の平面図である。
【図３】は、８帖間の畳の平面図である。
【符号の説明】
【００１６】
１  縁無し畳
２  縁付き畳
３  縁布
４  畳の目の方向を示す線
【図１】
0003102588.tif 000003
【図２】
0003102588.tif 000004
【図３】
0003102588.tif 000005
(57)【要約】【課題】  壜口部を確実にシールすることができ、容易に開栓することができ、製造コストが安価な炭酸飲料用キャップを提供する。【解決手段】  軟質材料からなる中栓１と、硬質の外蓋２とからなり、これらは二色成形されている。中栓１は天板３と壜口部の内周に接する円筒脚部６とを備える。外蓋２はスクリュー式である。軟質材料からなる中栓１はパッキンのように壜口部によくなじむため外蓋２を強く締付けなくてもシール性は良好であり、外蓋２を回転させれば容易に開栓することができる。【選択図】    図１
0003102503.tif 000002
【実用新案登録請求の範囲】
【請求項１】
硬質材料からなるスクリュー式の外蓋との内部に、軟質材料からなる中栓を二色成形したことを特徴とする炭酸飲料用キャップ。
【請求項２】
中栓が、壜口部の天面に密着される天板と、壜口部の内周面に密着される円筒脚部とを備えたものであることを特徴とする請求項１に記載の炭酸飲料用キャップ。
【請求項３】
外蓋がポリプロピレン樹脂からなり、中栓がエラストマーからなることを特徴とする請求項１または２に記載の炭酸飲料用キャップ。
【考案の詳細な説明】
【技術分野】
【０００１】
本考案は、炭酸飲料用キャップに関するものであり、特にノンアルコールのシャンパン飲料に適した炭酸飲料用キャップに関するものである。
【背景技術】
【０００２】
結婚式やパーティなどの席上で開栓されることが多いシャンパンのキャップは、コルク栓を針金で壜口部に固定したものであり、針金を取り除いてコルク栓を押し上げると内部の炭酸ガスの圧力によってコルク栓がポンという大きい音とともに飛び出すものである。また特許文献１に示すように、針金の代わりに外蓋を用いたキャップも用いられている。
【０００３】
しかし子供たちがクリスマス会やお誕生パーティなどで飲むノンアルコールのシャンパン飲料の場合には、飛び出したコルク栓が危険であるため、ポリプロピレン樹脂などからなる一体成形型のスクリューキャップが用いられている。しかしこのような一体成形型のスクリューキャップは全体が硬質であるためにシール性が悪く、流通段階における炭酸ガスの洩れを防止するためには壜口部に強く締め付けておく必要がある。その結果、子供の力では容易に開栓することができないという問題があった。
【特許文献１】特開平９−７７１０５号公報
【考案の開示】
【考案が解決しようとする課題】
【０００４】
本考案は上記した従来の問題点を解決し、流通段階における炭酸ガスの洩れがないように壜口部を確実にシールすることができ、しかも子供の力でも容易に開栓することができる炭酸飲料用キャップを提供するためになされたものである。
【課題を解決するための手段】
【０００５】
上記の課題を解決するためになされた本考案の炭酸飲料用キャップは、硬質材料からなるスクリュー式の外蓋との内部に、軟質材料からなる中栓を二色成形したことを特徴とするものである。なお、中栓が壜口部の天面に密着される天板と、壜口部の内周面に密着される円筒脚部とを備えたものであることが好ましい。また外蓋がポリプロピレン樹脂からなり、中栓がエラストマーからなることが好ましい。
【考案の効果】
【０００６】
本考案の炭酸飲料用キャップは、硬質材料からなるスクリュー式の外蓋との内部に、軟質材料からなる中栓を二色成形したものであるから、軟質の中栓が壜口部に密着してシール性を確保することができる。このため外蓋を強固に締め付けておかなくてもガスが抜けるおそれはなく、子供の力でも容易に開栓することができる。しかも外蓋と中栓を二色成形法によって同時に成形できるので、成形コストが安価となるうえ、別々に成形された外蓋と中栓とを組み合わせる手数もない。
【考案を実施するための最良の形態】
【０００７】
以下に本考案の好ましい実施形態を示す。
図１は本考案の炭酸飲料用キャップを壜口部に嵌合した状態の断面図であり、１は中栓、２は外蓋である。中栓１はエラストマーなどの軟質材料からなり、外蓋２は耐熱性のポリプロピレンなどの硬質材料からなる。これらの中栓１と外蓋２とは公知の二色成形機（異材質同時成形機）により二色成形されている。このため中栓１と外蓋２とを別々に成形した後に組み合わせるよりも、製造コストを引き下げることができる。
【０００８】
中栓１は壜口部の天面４を覆う天板３と、壜口部の内周５に接する円筒脚部６とを備えたものである。一方、外蓋２はスカート部７の内面に、壜口部の外周に形成されたスクリュー８とかみ合うネジ山９を備えている。図示のとおり、中栓１の天板３と外蓋２とは密着されている。
【０００９】
このように構成された本考案の炭酸飲料用キャップは、ノンアルコールのシャンパン飲料壜などに打栓して用いられるものであり、壜口部の天面４及び内周５に接する軟質の中栓１をスクリュー式の外蓋２によって壜口部に密着させる構造である。壜内部の炭酸ガスの圧力により中栓１は外向きの力を受けるが、スクリュー式の外蓋２が中栓１を強固に固定しており、かつ軟質材料からなる中栓１はパッキンのように壜口部によくなじむため、流通段階においては確実なシール性が確保される。
【００１０】
開栓の際にはスクリュー式の外蓋２を回転させると、中栓１も同時に回転しながら徐々に持ち上げられ、開栓される。本発明の炭酸飲料用キャップはスクリュー式の外蓋２を大きなトルクで壜口部に締付けておく必要がないから、子供の力によっても開栓することができる。そして中栓１の円筒脚部６の下端が壜口部から外れた瞬間にポンという音がして開栓される。このとき外蓋２を握っておれば、キャップが飛んで周囲に危険を及ぼすおそれはない。このため子供の集まった席でも安心して開栓することができる。
【００１１】
以上に述べたとおり、本考案の炭酸飲料用キャップは流通段階における炭酸ガスの洩れがないように壜口部を確実にシールすることができ、子供の力でも容易に開栓することができるうえ、開栓時にシャンパン飲料に特有のポンという音がするなどの利点がある。また外蓋２と中栓１を二色成形法によって同時に成形できるので、成形コストが安価となるうえ、別々に成形された外蓋２と中栓１とを組み合わせる手数もない。本考案の炭酸飲料用キャップは特にノンアルコールのシャンパン飲料に適するが、その他の炭酸飲料にも適用できることはいうまでもない。
【図面の簡単な説明】
【００１２】
【図１】本考案の実施形態を示す断面図である。
【符号の説明】
【００１３】
１  中栓
２  外蓋
３  天板
４  壜口部の天面
５  壜口部の内周
６  円筒脚部
７  スカート部
８  スクリュー
９  ネジ山
【図１】
0003102503.tif 000003
(57)【要約】【課題】薬の服用に際し、幼児や老人或いは病人等が食事感覚で抵抗感なく、こぼすこともなく、口腔内の所定位置に薬を入れ込むことができる薬服用容器を提供するものである。【解決手段】各種薬を収納する薬収納部、該薬収納部を隠蔽する開封容易な蓋部、及び該薬収納部より延出した把持部とより形成されたことを特徴とするスプーン型薬容器。【選択図】図１
0003102556.tif 000002
【実用新案登録請求の範囲】
【請求項１】
各種薬を収納する薬収納部、該薬収納部を隠蔽する開封容易な蓋部及び該薬収納部より延出した把持部とより形成したことを特徴とするスプーン型薬容器。
【請求項２】
薬収納部を仕切り部を介して複数箇所に形成したことを特徴とする請求項１に記載のスプーン型薬容器。
【考案の詳細な説明】
【技術分野】
【０００１】
本考案は、幼児や小学校低学年に属する子供並びに老人や病人等が薬を服用するとき、抵抗感なく口腔の所定箇所に入れ易いスプーン型薬容器に関するものである。
【背景技術】
【０００２】
従来より薬には、顆粒剤（こな薬）、カプセル、錠剤及び液剤等があり、それらは紙片に包まれた状態、カプセル状のもの、容器内に配置され蓋片を取り除いて使用するもの、及びストローで吸引するもの等、様々な保管状態及び使用方法が行なわれている。しかしそのいずれも幼児、老人及び病人等にとっては飲用し易いものではなかった。
紙片に包まれたものにあっては、紙片を頼りに中身を直接口腔に入れ込むか、それらを紙片から取り出し別途服用している。また、カプセル状のものや容器内に保管した錠剤は、それらのものを指で把持して直接口腔内に入れて服用していた。
更に、ストローで吸引する液状のものは別途ストローを用意しなければならなかった。
【特許文献１】特開平９−２７６３７４号公報
【考案の開示】
【考案が解決しようとする課題】
【０００３】
上記紙片を頼りに服用するものは、中身がこぼれてしまったり、口腔内の所定位置へ入れ込むことが出来ず、服用するには大変不便なものであった。
また、錠剤を取り出して指で直接口腔内へ入れ込むものは、躊躇するもので、子供、老人及び病人等にとっては不快なものであった。
本考案は、それらの者にとって薬が服用し易いように創案したものである。
【課題を解決するための手段】
【０００４】
上記課題を解決するため、本考案は、各種薬を収納する薬収納部、該薬収納部を隠蔽する開封容易な蓋部及び該薬収納部より延出した把持部とより形成したスプーン型薬容器を特徴とする。
また、上記薬収納部を仕切り部を介して複数箇所に形成したスプーン型薬容器を特徴とする。
【考案の効果】
【０００５】
本考案は、薬の服用時において、把持部を使用することにより当該薬を口腔内の所定位置に入れ込むことが出来るので、幼児や老人或いは病人等が流動食やお粥等を食するのと同様に取り扱って使用できるので、違和感がなく、躊躇することもなく薬の服用をすることが出来る。
【０００６】
また、薬が飲み込み易く、こぼすことも少なくなった。
【０００７】
更に、本考案のスプーン型薬容器より直接口腔内へ薬を入れ込むことが出来るので、薬を指等により汚すことなく、服用することができる。
【考案を実施するための最良の形態】
【０００８】
以下に、本考案の実施例を図面に基づいて説明する。
【実施例１】
【０００９】
図１は、本考案のスプーン型薬容器１の斜視図を示している。
該スプーン型薬容器１は、合成樹脂製等の軽量且つ安価な材料で形成され、薬収納部２、蓋部３及び該薬収納部２より延出した把持部４とより形成している。該薬収納部２は、薬を収納するための凹部が形成され、薬を可視するためには透明或いは半透明のものが採用され、その必要のない場合には着色された或いは無着色の合成樹脂製のものが採用される。
【００１０】
該薬収納部２には顆粒剤、カプセル、錠剤或いは液剤等が収納される。また、該蓋部３はアルミ箔や合成樹脂等の薄手材料により形成され、使用時において利用者は、適宜切り口或いは剥がし手６を利用して蓋部３を鍔部５より引き離し、薬収納部２に収納された薬を露出させることができる。その後、把持部４を持ち、スプーンで物を食するのと同様に、該薬収納部２内の薬を口腔内へ入れ込むことができる。
【実施例２】
【００１１】
図２は、本考案のスプーン型薬容器７の他の実施例を示し、上記実施例１と同様、容器は合成樹脂製等の軽量且つ安価な材料で形成され、仕切り部８を有して２個の薬収納部９、１０、蓋部１１及び該薬収納部９、１０より延出した把持部１２とより形成されている。該薬収納部９、１０は凹部として形成され、顆粒剤、カプセル、錠剤或いは液剤等が収納される。
【００１２】
該薬収納部９、１０は仕切り部８を介して２ヵ所の凹部が形成されているので、薬相互が反応することなく別々に保管でき、且つ同時に服用することが容易となる。
【００１３】
また、該蓋部１１は上記同様、アルミ箔や合成樹脂等の薄手材料により形成され、薬収納部９、１０の鍔部１３に貼着される。使用時において、適宜切り口或いは剥がし手１４により蓋部１１を鍔部１３より引き離して薬を露出させ、使用状態とすることができる。
更に、異種の薬或いは同じ薬でも所定量を一度に服用すること等も可能となる。
【００１４】
上記実施例２では、2箇所の薬収納部としたが、必要に応じて３箇所以上とすることも可能である。
【００１５】
また、図２に示すように、仕切り部８の位置に対応する箇所における蓋部１１に切取部１５を形成することにより、一つのスプーン型薬容器で適数個の薬を何回かに分けて服用することも可能である。その際、把持部１２は繰り返し使用することになる。
【図面の簡単な説明】
【００１６】
【図１】本考案のスプーン型薬容器の斜視図。
【図２】本考案のスプーン型薬容器の他の実施例の斜視図。
【符号の説明】
【００１７】
１、７        スプーン型薬容器
２、９、１０    薬収納部
３、１１      蓋部
４、１２      把持部
５、１３      鍔部
６、１４      剥がし手
８            仕切り部
１５            切取部
【図１】
0003102556.tif 000003
【図２】
0003102556.tif 000004